(57)【要約】【目的】床鳴りを防止し、また通常サイズの鋼管材よりも変形性能の大きい鋼製根太を提供する。【解決手段】上面４で床板材２を支持し、下面９が梁３によって支持される鋼製の角柱材からなる根太１であって、根太１の上面４にはその両側縁部に突条部５，５が長手方向に沿って形成され、これによって床板材２が根太上面４で２点支持されるようになっている。【選択図】　　　　図２
2004019191.tif 000002
【特許請求の範囲】
【請求項１】
上面で床板材を支持し、下面が梁によって支持される鋼製の角柱材からなる根太であって、
根太の上面にはその両側縁部に突条部が長手方向に沿って形成され、これによって床板材が根太上面で２点支持されるようになっていることを特徴とする異形鋼製根太。
【請求項２】
根太の左右側面にエンボス部が形成されていることを特徴とする請求項１に記載の異形鋼製根太。
【請求項３】
根太上面の両突条部間に形成される凹所には、この根太上面で支持する床板材との間に防振材が介在されるようになっていることを特徴とする請求項１又は２に記載の異形鋼製根太。
【発明の詳細な説明】
【０００１】
【発明の属する技術分野】
本発明は、床下地を構成する鋼製の根太に関する。
【０００２】
【従来の技術】
根太は、その上面で床板材を支持し、下面が梁により支持されるものである。図４は、従来より使用されている鋼製根太１１を示すもので、この鋼製根太１１は、断面が長方形の角形鋼管からなる。使用にあたって、この鋼製根太１１を、例えばＨ形鋼からなる梁（図示省略）の上に載置固定し、この根太１１の上に床板材２を載せて、（Ａ）及び（Ｂ）に示すようにビス１０により床板材２を鋼製根太１１に固定するようにしている。
【０００３】
【考案が解決しようとする課題】
上記従来の鋼製根太１１は、普通の角形鋼管からなるため、図４に示すように床板材２を鋼製根太１１の上に載設する時、この床板材２が根太１１の上面全体に密着状態に接地し、これによって床板材２と鋼製根太１１とによる床鳴りを生じる。また、普通の角管形状であるため、変形性能に粘りがなく、従って厚肉の角管など、特別サイズの角形鋼管を使用する必要があり、材料費が嵩む。
【０００４】
本発明は、上記のような従来の鋼製根太の問題点に鑑み、床鳴りを防止し、また通常サイズの鋼管材よりも変形性能の大きい鋼製根太を提供することを目的とする。
【０００５】
【課題を解決するための手段】
請求項１に係る発明の鋼製根太は、上面４で床板材２を支持し、下面９が梁３によって支持される鋼製の角柱材からなる根太１であって、根太１の上面４にはその両側縁部に突条部５，５が長手方向に沿って形成され、これによって床板材２が根太上面４で２点支持されるようになっていることを特徴とする。
【０００６】
請求項２は、請求項１に記載の異形鋼製根太において、根太１の左右側面７，７にエンボス部８が形成されていることを特徴とする。
【０００７】
請求項３は、請求項１又は２に記載の異形鋼製根太において、根太上面４の両突条部５間に形成される凹所６には、この根太上面４で支持する床板材２との間に防振材１２が介在されるようになっていることを特徴とする。
【０００８】
【発明の実施の形態】
本発明の実施形態について図１〜図３を参照して説明する。図１の（Ａ）は、本発明に係る異形鋼製根太１を示す斜視図であり、（Ｂ）は図１に示す根太１の要部縦断面図である。この異形鋼製根太１は、断面が縦長の略長方形を成す異形角形鋼管からなるもので、床板材２を支持する上面４にはその両側縁部に、断面が下向き略Ｕ字状の突条部５，５が長手方向に沿って形成され、そして両突条部５，５の間にわたって凹所６が形成されている。
【０００９】
また、この異形鋼製根太１の左右両側面７，７には夫々、エンボス部８が根太１の長手方向一定ピッチで形成されている。このエンボス部８は、図１の（Ａ）及び（Ｂ）から分かるように比較的大きな円形の凹部からなるものであるが、このような凹部に限るものではなく、凸部であってもよいし、あるいは凹部と凸部が交互に連続するようなものでもよく、また凹凸部は大きくてもよいし、小さいものでもよい。
【００１０】
図２は、上記のような構成よりなる本発明の異形鋼製根太１を使用した床下地の施工状態を示したもので、この異形鋼製根太１は、その下面９が根太１と直交する方向に配設された例えばＨ形鋼からなる梁３によって支持され、この根太１の上面２は、例えばパーティクルボードからなる木質系の床板材２を支持している。
【００１１】
この場合、異形鋼製根太１は、上面４の両側縁部に突条部５，５を形成した異形形状の根太であって、床板材２との接触部分が両突条部５，５の突端部分のみとなり、つまり床板材２を両突条部５，５の２点で支持する状態となり、これにより床板材２の接地面積が従来の鋼製根太１１に比べて大幅に減少されるので、床鳴りを生じることがなくなる。
【００１２】
また、この異形鋼製根太１を使用した場合、床板材２をその幅方向中央部位から鋼製根太１の上面４にねじ込むビス１０によって鋼製根太１に固定する時に、図３の（Ａ）及び（Ｂ）で示すように、鋼製根太１の上面４部分（即ち、両突条部５，５間に形成される凹所６の底部）がビス１０を介して引っ張られて上方へ撓み変形するため、ビス１０に常にねじ込み方向のテンションがかかり、これによってビス１０の緩み止め効果が働き、鋼製根太１に対する床板材２の固着状態を維持することができると共に、そのテンション効果によって根太１の強度を増すことができる。
【００１３】
また、床板材２が鋼製根太１に対して２点支持されること、床板材２を鋼製根太１にビス１０で固定する時のテンション効果、及び床板材２が鋼製根太１の両サイド（突条部５，５）に接地することにより、床板材２から鋼製根太１に伝わる振動が低減されて、金属音の発生が低減される。
【００１４】
また、この異形鋼製根太１を使用する場合において、図２に示すように、根太１の上面４の両突条部５，５間に形成される凹所６と床板材２との間に、ゴム材等の防振材を介在させることによって、振動の吸収アップを図り、床鳴りを一層有効に防止することができる。
【００１５】
この発明の異形鋼製根太１は、上面４の両側縁部に突条部５，５を形成した異形形状の根太であって、この上面４の両側一対の突条部５，５が補強リブとして作用するから、このような異形形状による補強作用と、前述した床板材２を鋼製根太１にビス１０で固定する時のテンション効果とによって、図４に示すような普通の角管形状で且つ通常サイズの角管より大きな強度を持たせることができ、材料費の節減に貢献できるのみならず、軽量化を図ることができる。
【００１６】
更に、このような異形形状の鋼製根太１の左右両側面７，７にエンボス部８を形成することによって、強度をより一層アップさせることができると共に、振動の分散により吸収が良くなって床鳴りを一層有効に防止できる。
【００１７】
以上の実施形態では、異形鋼製根太が、継ぎ目のない普通の角管からなる場合について説明したが、本発明に係る異形鋼製根太は、このような普通の鋼管に限らず、１枚の金属板を角柱状にプレス加工して、その両側縁部を溶接したり、かしめることにより形成してなる継ぎ目のある角柱材でもよい。
【００１８】
【発明の効果】
請求項１に係る発明の鋼製根太は、上面の両側縁部に突条部を長手方向に沿って形成した異形形状の鋼製根太であって、その両突条部により床板材が根太上面で２点支持されるようになっているから、床板材が根太の上面全体に密着状態に接地する従来の鋼製根太と比べ、床板材の接地面積が大幅に減少して、床鳴りの発生を防止することができる。
【００１９】
また、この異形鋼製根太の使用にあたり、床板材を、その幅方向中央部位から根太上面にねじ込むビスによって鋼製根太に固定する時に、この鋼製根太の上面部分がビスを介して引っ張られて上方へ撓み変形するため、ビスに常にねじ込み方向のテンションがかかり、これによってビスの緩み止め効果が働き、床板材の固着状態を維持することができると共に、そのテンション効果によって根太の強度を増すことができる。
【００２０】
また、床板材が鋼製根太に対して２点支持されること、上記テンション効果、及び床板材が鋼製根太の両サイド（突条部）に接地するようになることにより、床板材から鋼製根太に伝わる振動が低減されて、金属音の発生が低減される。
【００２１】
また、この異形鋼製根太の使用において、根太上面の両突条部間に形成される凹所と床板材との間に防振材を介在させることによって、振動の吸収アップを図り、床鳴りを一層有効に防止できる。
【００２２】
また、この発明の鋼製根太は、上面の両サイドに突条部を形成して異形鋼製根太であって、この突条部が補強リブとして作用するから、このような異形形状による補強作用と、前記テンション効果とによって、普通の角管形状で且つ通常サイズの角管より大きな強度を持たせることができ、材料費の節減に貢献できるのみならず、軽量化をも図ることができる。
【００２３】
請求項２に記載のように、根太の左右側面にエンボス部を形成することによって、根太の強度をより一層のアップさせることができると共に、振動の吸収が良くなって床鳴りを一層有効に防止できる。
【００２４】
請求項３に記載のように、根太上面の両突条部間に形成される凹所と床板材との間に防振材を介在させることによって、振動の吸収アップを図り、床鳴りを一層有効に防止することができる。
【図面の簡単な説明】
【図１】（Ａ）は本発明に係る異形鋼製根太を示す斜視図であり、（Ｂ）
は図１に示す根太の一部縦断面図である。
【図２】本発明の異形鋼製根太を使用した床下地の施工状態を示す斜視図
である。
【図３】（Ａ）はビスによって床板材を本発明の鋼製根太に固定しようとしている状態の断面図、（Ｂ）はビス止めし終えた状態の断面図で、鋼製根太
の上面中央部側が上方へ撓み変形した状態を示す。
【図４】（Ａ）はビスによって床板材を従来の鋼製根太に固定しようとし
ている状態の断面図、（Ｂ）はビス止めし終えた状態の断面図である。
【符号の説明】
１　　　　　　異形鋼製根太
２　　　　　　床板材
３　　　　　　梁
４　　　　　　異形鋼製根太の上面
５　　　　　　突条部
６　　　　　　根太上面の両突条部間にわたって形成される凹所
７　　　　　　異形鋼製根太の左右側面
８　　　　　　エンボス部
９　　　　　　異形鋼製根太の下面
１２　　　　　防振材
【図１】
2004019191.tif 000003
【図２】
2004019191.tif 000004
【図３】
2004019191.tif 000005
【図４】
2004019191.tif 000006